(57)【要約】  排気空気から給気空気への熱回収が可能で、給気外気の温度・湿度に応じて室内への給気空気に対する加熱量及び加湿量を調整できる換気空調装置を得ること。  室外空気を吸い込んで給気空気として室内に給気する給気風路と、室内空気を吸い込んで室外へ排気する排気風路とを備えた本体ケーシング（１）と、給気風路と排気風路との間に配設されて本体ケーシング（１）に収容され、給気風路に吸い込まれた室外空気と排気風路に吸い込まれた室内空気との間で全熱交換を行う全熱交換器（４）と、室外空気の温度を測定する外気温度センサ（１１）と、室外空気の湿度を測定する外気湿度センサ（１２）と、給気空気を加熱する空調コイル（５）と、外気温度センサ（１１）及び外気湿度センサ（１２）の測定結果に基づいて、給気空気の絶対湿度が予め定められた値となるように空調コイル（５）を制御する制御部（１４）とを有する。
2012077201.tif 000002
【特許請求の範囲】
【請求項１】
室外空気を吸い込んで給気空気として室内に給気する給気風路と、室内空気を吸い込んで室外へ排気する排気風路とを備えたケーシングと、
前記給気風路と前記排気風路との間に配設されて前記ケーシングに収容され、前記給気風路に吸い込まれた前記室外空気と前記排気風路に吸い込まれた前記室内空気との間で全熱交換を行う全熱交換器と、
前記室外空気の温度を測定する温度センサと、
前記室外空気の湿度を測定する湿度センサと、
前記給気空気を加熱する空調コイルと、
前記温度センサ及び前記湿度センサの測定結果に基づいて、前記給気空気の絶対湿度が予め定められた値となるように前記空調コイルを制御する制御手段とを有することを特徴とする換気空調装置。
【請求項２】
前記室外空気の温度及び湿度の組み合わせと、前記空調コイルの能力値とが関連付けられた参照データを格納する手段を有し、
前記制御手段は、前記温度センサ及び前記湿度センサの測定結果に対応する前記空調コイルの能力値を前記参照データに基づいて取得し、取得した能力値に応じた能力で前記空調コイルを駆動することを特徴とする請求項１記載の換気空調装置。
【請求項３】
前記参照データは、
前記室外空気の温度が第１の温度未満の場合には前記室外空気の湿度に関わらず前記能力値として１００％が関連付けられ、
前記室外空気の温度が前記第１の温度よりも高温の第２の温度以上の場合には前記室外空気の湿度に関わらず前記能力値として０％が関連付けられ、
前記室外空気の温度が前記第１の温度以上前記第２の温度未満の場合には、０〜１００％の間で予め段階的に設定されている複数の能力値のいずれかが、前記室外空気の湿度が高いほど値が低い能力値と対応するように関連付けられていることを特徴とする請求項２記載の換気空調装置。
【請求項４】
前記室内空気の湿度を測定する室内湿度センサを有し、
前記制御手段は、前記室内湿度センサの測定値が予め定められた第１の閾値を超えた場合には、前記空調コイルを強制停止させ、前記室内湿度センサの測定値が前記第１の閾値よりも小さい第２の閾値を下回った場合は、前記空調コイルの強制停止を解除することを特徴とする請求項３記載の換気空調装置。
【請求項５】
前記室内空気の湿度を測定する室内湿度センサを有し、
前記制御手段は、前記室内湿度センサの測定値が予め定められた第１の閾値を超えた場合には、前記空調コイルの能力値を低下させ、前記室内湿度センサの測定値が前記第１の閾値よりも小さい第２の閾値を下回った場合は、前記空調コイルの能力値の低下を解除することを特徴とする請求項３記載の換気空調装置。
【請求項６】
前記給気空気を加湿する加湿器を有し、
前記制御手段は、前記室内湿度センサの測定値が前記第１の閾値を超えた場合には、前記加湿器を強制停止させ、前記室内湿度センサの測定値が前記第２の閾値を下回った場合は、前記加湿器の強制停止を解除することを特徴とする請求項４又は５記載の換気空調装置。
【発明の詳細な説明】
【技術分野】
【０００１】
本発明は、室内の調湿をし、製品から吹出す空気温度を制御しながら換気を行う換気空調装置に関する。
【背景技術】
【０００２】
従来、外気温度センサで測定した温度に基づいて、運転モード（暖房と加湿とを組み合わせた運転、加湿のみの運転、除湿運転）を切り換える制御を行う調湿換気装置がある（例えば、特許文献１参照。）。【０００３】
また、外気温度と湿度とから運転モードを決定し、加湿要求が高いモードでは熱交換素子を通さない給気空気と、ヒートポンプ空調機、散水装置及び排気グリルを通じて排出される排気空気とを用いて、目標とする室内温度・湿度を満足させるものがある（例えば、特許文献２参照。）。
【先行技術文献】
【特許文献】
【０００４】
【特許文献１】特開２０００−９７４７８号公報
【特許文献２】国際公開第２００９／０１１３６２号
【発明の概要】
【発明が解決しようとする課題】
【０００５】
しかしながら、特許文献１に記載の従来の技術は、外気温度の測定結果のみに基づいて加湿運転するため、外気湿度が上昇した場合でも空調コイルの能力値を変更することができない。このため、暖房加湿運転時に室内へ必要以上の加湿を行ってしまい、室内が過剰に加湿されてしまうという問題があった。また、外気温度・湿度がともに高い状態で暖房加湿運転すると、室内へ吹出す給気温度も上昇してしまうため、室内温度も上昇してしまい、調湿換気装置が暖房運転しているにも関わらず、室内空間で共に運転される空調機が無駄な冷房運転をしてしまうという問題があった。【０００６】
また、特許文献２に記載された従来の技術は、加温・加湿された室内空気は熱回収されず排気グリルから直接排気されており、エネルギーロスが生じていた。また、低外気温時は、凝縮器のみで加湿量を十分確保できる温度まで生外気を加温しており、エネルギー負荷が生じていた。また、搭載している躯体内に搭載している熱交換素子は、暖房、加湿運転時には使用しておらず、冬季運転には非常にエネルギー負荷がかかるという問題があった。【０００７】
本発明は、上記に鑑みてなされたものであって、排気空気から給気空気への熱回収が可能で、給気外気の温度・湿度に応じて室内への給気空気に対する加熱量及び加湿量を調整できる換気空調装置を得ることを目的とする。
【課題を解決するための手段】
【０００８】
上述した課題を解決し、目的を達成するために、本発明は、室外空気を吸い込んで給気空気として室内に給気する給気風路と、室内空気を吸い込んで室外へ排気する排気風路とを備えたケーシングと、給気風路と排気風路との間に配設されてケーシングに収容され、給気風路に吸い込まれた室外空気と排気風路に吸い込まれた室内空気との間で全熱交換を行う全熱交換器と、室外空気の温度を測定する温度センサと、室外空気の湿度を測定する湿度センサと、給気空気を加熱する空調コイルと、温度センサ及び湿度センサの測定結果に基づいて、給気空気の絶対湿度が予め定められた値となるように空調コイルを制御する制御手段とを有することを特徴とする。
【発明の効果】
【０００９】
本発明にかかる換気空調装置は、外気の温度・湿度に応じて空調コイルの加熱量を制御し、室内への給気空気に対する加湿量を調整することで加湿不足や過加湿を防止し、排気空気から給気空気への熱回収も行うことにより、省エネルギーで快適な換気を行うことができるという効果を奏する。
【図面の簡単な説明】
【００１０】
【図１】図１は、本発明にかかる換気空調装置の実施の形態１の構成を示す上面透視図である。
【図２】図２は、本発明にかかる換気空調装置の実施の形態１の構成を示す側断面図である。
【図３】図３は、外気温度センサ及び外気湿度センサの測定値に応じて制御される換気空調装置の空調コイルの能力値を外気温度・外気湿度でゾーン分けしたマップの一例を示す図である。
【図４】図４は、暖房モードでの運転時の空調コイルの制御の流れを示すフローチャートである。
【図５】図５は、本発明にかかる換気空調装置の実施の形態２の構成を示す上面透視図である。
【図６】図６は、空調コイル及び加湿器の強制停止及び解除の制御の流れを示すフローチャートである。
【発明を実施するための形態】
【００１１】
以下に、本発明にかかる換気空調装置の実施の形態を図面に基づいて詳細に説明する。なお、この実施の形態によりこの発明が限定されるものではない。
【００１２】
実施の形態１．
図１、２は、本発明にかかる換気空調装置の実施の形態１の構成を示す図である。図１は上面透視図であり、図２は図１におけるＩＩ−ＩＩ断面の断面図である。この換気空調装置は、本体ケーシング１、排気用送風機２、給気用送風機３、全熱交換器４、空調コイル５、加湿器６、排気吹出口７、給気吹出口８、給気吸込口９、排気吸込口１０、外気温度センサ１１、外気湿度センサ１２、制御部１４及びリモコン１５を有する。
【００１３】
換気空調装置は、室内側と室外側とにそれぞれ吹出口と吸込口とを一組ずつ（給気吹出口８、排気吸込口１０と排気吹出口７、給気吸込口９）設け、室外側の給気吸込口９と室内側の給気吹出口８とを連通させる給気風路と、室内側の排気吸込口１０と室外側の排気吹出口７とを連通させる排気風路とを形成し、本体ケーシング１で覆っている箱体構造である。
【００１４】
給気用送風機３は、給気風路に組み込まれており給気流を形成する。排気用送風機２は、排気風路に組み込まれており排気流を形成する。全熱交換器４は、給気風路と排気風路との間に配設され給気流（室外空気）と排気流（室内空気）との間で連続的に全熱交換を行い、室外空気を給気空気とし、室内空気を排気空気とする。給気風路内の給気吹出口８手前には加湿器６が設けられ、給気用送風機３と加湿器６との間には給気空気を加熱し加湿量確保を目的とした空調コイル５が設けられている。
【００１５】
また、空調コイル５及び加湿器６が配置された加湿風路部２０は、箱体内部の給気用送風機３の上下方向に分割して配置された加湿風路上部２１と加湿風路下部２２とで構成されている。加湿風路上部２１は発泡樹脂で空調コイル５及び加湿器６を覆う形に形成されている。加湿風路下部２２は発泡樹脂製のドレン皿を備え、ドレン皿の水受け表面にプラスチック材を同時成形させ、発泡樹脂への浸水を防いだ構造体として形成されている。加湿風路上部２１と加湿風路下部２２とは、上下方向で嵌め合い構造となっており、一体となって加湿風路部２０を形成する。
【００１６】
全熱交換器４においては、排気流を通す一次側風路と給気流を通す二次側風路とは内部において垂直に交差している。これにより、給気流と排気流との間で全熱が交換され、熱交換換気を行うことができる。
【００１７】
また、換気空調装置は、換気動作を制御する制御部１４と、動作モードの切り替え操作などを受け付けるリモコン１５とを備えている。制御部１４は、ＣＰＵやＲＡＭなどに加え、後述するマップを不揮発に記憶する装置（ＮＶＲＡＭなど）を備えている。
【００１８】
室外側の給気吸込口９と全熱交換器４との間には、外気の温度・湿度を計測する外気温度センサ１１及び外気湿度センサ１２が設けられている。制御部１４は、外気温度センサ１１及び外気湿度センサ１２の測定結果（温度情報及び湿度情報）に基づいて空調コイル５の加熱能力を決定する。全熱交換器４を通過した空気は、空調コイル５によって加熱される。空調コイル５にて加熱された空気は加湿器６を通過し、加湿された空気となって給気吹出口８から室内へ供給される。その際、空調コイル５での加熱量によって加湿量及び吹出し温度が調整される。
【００１９】
換気空調装置から室内へ吹出された給気空気は、室内空気と混合された後、別途設置されている空調機へ吸い込まれ、空調機によって室内の温度調節が行われる。すなわち、換気空調装置は、室内の空調機との間で、換気空調装置が換気及び加湿を主に担い、空調機は主に温度調整を担うように役割を分担している。したがって、換気空調装置での給気空気の加湿量は、空調機の室温設定温度の基準値ｔｓｔａｎｄｒａｄ（例えば２２℃）の時に相対湿度が基準値（例えば４０％）となるような水分量を含有するように調節することが必要である。
【００２０】
図３は、外気温度センサ１１及び外気湿度センサ１２の測定値に応じて制御される換気空調装置の空調コイル５の能力値を外気温度・外気湿度でゾーン分けしたマップの一例を示す図である。このマップは室内への給気空気に含まれる水分量が基準値（例えば、２２℃での相対湿度４０％に相当する絶対湿度０．００６６ｋｇ／ｋｇ（ＤＡ））になるように空調コイル５の能力を制御して加湿するとともに、給気空気の温度が３０℃以上になってしまう場合には加湿よりも温度調節を優先して３０℃を超えないように空調コイル５の能力を制御するように構成されている。
【００２１】
さらに詳細を説明すると、図３に示すマップは、予め設定されている室内温度・室内湿度の基準値（例えば２２℃、４０％）を基にして、予め測定して求めてある全熱交換器４の全熱交換効率を用いて、全熱交換器４で全熱交換された後の室外空気の温度・湿度を外気温度・外気湿度ごとに計算し、全熱交換後の室外空気の温度・湿度と室内温度・室内湿度の基準値（例えば、２２℃、４０％の絶対湿度０．００６６ｋｇ／ｋｇ（ＤＡ））とを比較して、給気吹出口８から室内に給気される給気空気の絶対湿度が基準値（例えば、０．００６６ｋｇ／ｋｇ（ＤＡ））に近づくように空調コイル５の能力値を求めてプロットすることにより作成されている。
【００２２】
なお、ｔ１及びｔ２は、給気空気の温度の上限ｔｍａｘと室内温度の基準値ｔｓｔａｎｄｒａｄとに基づいて設定される。給気空気の温度の上限ｔｍａｘが３０℃、かつ室内温度の基準値が２２℃である場合には、外気湿度が高くても吹出し温度がｔｍａｘを超えないｔ１＝５℃程度、また空調コイル５が運転していない状態でも全熱交換器４による温度交換で吹出し温度が室内温度の基準値ｔｓｔａｎｄａｒｄ（例えば２２℃）に近づくｔ２＝２１℃程度が最も良い。
【００２３】
図３において、境界ｂ１は、空調コイル５の能力値が５０％で給気空気の絶対湿度が基準値となるプロットの集合である。境界ｂ２は、空調コイル５の能力値が２５％で給気空気の絶対湿度が基準値となるプロットの集合である。境界ｂ３は、空調コイル５の能力値が０％で給気空気の絶対湿度が基準値となるプロットの集合である。このとき室内が完全に密閉されているわけではないことから室内空気の逃げ分を考慮して基準湿度以下にならないよう、安全係数（例えば１．２倍）を加味した量を必要加湿量としている。また、加湿量を得るために空調コイル５の能力を制御すると、外気の温度・湿度の条件によっては室内への給気空気の温度が上昇し過ぎてしまう場合があるため、給気空気の温度に上限ｔｍａｘ（例えば３０℃）を設けて、給気空気の温度が上限ｔｍａｘを超える場合には湿度よりも温度を優先させるようにしてある。
【００２４】
マップの具体的なゾーンとしては、外気湿度に応じて空調コイル５の能力を段階的に変化させる温度範囲、外気温度ｔが低いために加湿量過多よりも吹出し温度低下防止を優先する温度範囲、及び外気温度ｔが高いために加湿量よりも供給温度過昇防止を優先する温度範囲に分けられている。さらに、外気湿度に応じて空調コイル５の能力を段階的に変化させる温度範囲は、空調コイル５の能力値によって四つの領域に分けられている。すなわち、マップは、ある外気温度及び外気湿度の組み合わせが領域（１）〜領域（６）のいずれかのゾーンに含まれるように分けられている。
【００２５】
領域（１）は、外気温度ｔが低いために加湿量過多よりも吹出し温度低下防止を優先する温度範囲であり、ｔ＜ｔ１の領域である。領域（２）は、外気温度ｔが高いために加湿量よりも供給温度過昇防止を優先する温度範囲であり、ｔ２≦ｔの領域である。領域（３）〜領域（６）は、外気湿度に応じて空調コイル５の能力を段階的に変化させる温度範囲である。領域（３）は、ｔ１≦ｔ＜ｔ２、かつ、境界ｂ１よりも低湿度側の領域である。領域（４）は、ｔ１≦ｔ＜ｔ２、かつ、境界ｂ１及びｂ２で囲まれる領域である。領域（５）は、ｔ１≦ｔ＜ｔ２、かつ、境界ｂ２及びｂ３で囲まれる領域である。領域（６）は、ｔ１≦ｔ＜ｔ２、かつ、境界ｂ３よりも高湿度側の領域である。
【００２６】
領域（１）は、外気温度が低い冬季を想定しており、加湿後の吹出し温度低下による快適感低下を防ぐため、また外気が保有する水分の絶対量が少なく室内への必要加湿量を確保する必要があるため、相対湿度の値に関わらず空調コイル５の能力にセーブをかけず１００％運転による加湿を行う。
【００２７】
領域（２）は、外気温度が高く外気が保有する水分の絶対量が多い中間期を想定しており、空調コイル５の加熱によって吹出し温度が過昇してしまうことを防ぐため、相対湿度の値に関わらず空調コイル５をサーモＯＦＦして加湿を行う。なお、空調コイル５はサーモＯＮのまま能力値を０％として加湿を行っても良い。
【００２８】
領域（３）においては外気が保有している水分量が低いため、空調コイル５の能力を１００％運転で空気を加熱した後に加湿運転を行う。
【００２９】
外気温度・湿度が高くなるにつれ外気が保有している水分量が多くなるため、空調コイル５の運転能力が高くなくても必要加湿量を満足する運転が可能となる。領域（４）は、空調コイル５の能力が５０％においても吹出し温度がｔｍａｘを超えず、かつ必要加湿量を満足できる外気温度・外気湿度の領域であるため、空調コイル５の能力を５０％として加湿を行う。同様に、領域（５）は、空調コイル５の能力が２５％でも吹出し温度がｔｍａｘを超えず、かつ必要加湿量を満足できる外気温度、外気湿度の領域であるため、空調コイル５の能力を２５％として加湿を行う。また、領域（６）は、外気湿度が高く、空調コイル５を運転しなくても必要加湿量を満足できる領域であるため、空調コイル５の能力を０％として加湿を行う。
【００３０】
制御部１４は、上記のマップを不揮発記憶装置に記憶しており、暖房モードでの運転時にはこのマップに基づいて空調コイル５の制御を行う。
【００３１】
図４は、暖房モードでの運転時の空調コイル５の制御の流れを示すフローチャートである。リモコン１５を介した操作により動作モードとして暖房モードが選択されると、ステップＳ１で制御部１４は暖房モードでの換気空調装置の運転を開始する。そしてステップＳ２では制御部１４は領域の初期判定を行い、ステップＳ１を実行時の外気温度・外気湿度に該当する領域に対応する能力値（例えば、領域（４）ならば５０％）で空調コイル５を運転する。ただし、領域（２）に該当する場合は空調コイル５をサーモＯＦＦさせる。ここで、初期運転時の立ち上がりにおける挙動不安定を無視するため、ステップＳ３ではステップＳ２の制御を行ってからＴＡ時間（例えば３０分）が経過するまでは（ステップＳ３／Ｎｏ）、外気温度・外気湿度が存在する領域が変化しても能力値を変更したり、空調コイル５のサーモＯＮ／ＯＦＦは行わない。そしてＴＡ時間経過した後（ステップＳ３／Ｙｅｓ）、初期状態から定常状態へ移行する。
【００３２】
定常状態へ移行した後、ステップＳ４でＴＡ時間経過した時点での領域を制御部１４に記憶させる。領域（２）以外に該当する場合は、対応する能力値も制御部１４に記憶させ、その能力値で制御を行う。ステップＳ５では、制御部１４は、外気温度・外気湿度が変化して現在の領域から別の領域に変化したか否か（マップ境界を越えたか否か）を判断する。変化を検知したときは、ステップＳ６へ進み、領域に変化が無い場合は制御部１４は現在の領域及び能力値を保持する。ステップＳ６では、制御部１４はＴＢ時間（例えば３０分）を計測するタイマを発動し、ステップＳ７へと進む。領域が変化した直後、外気温度・外気湿度は領域の境界付近に存在するため、領域のチャタリングを防止する目的で、制御部１４はタイマ発動中はステップＳ４で記憶させたタイマ発動前の能力値にて空調コイル５を運転する。そして、ステップＳ７では制御部１４は時間経過を判定し、ＴＢ時間経過したら（ステップＳ７／Ｙｅｓ）ステップＳ８へ進み、ＴＢ時間経過していない場合は（ステップＳ７／Ｎｏ）ステップＳ７へと戻る。ステップＳ８では制御部１４は、タイマ完了直後の領域に対応する能力値に変更し、タイマをクリアさせた後、領域とそれに対応する能力値とを記憶させるステップＳ４の制御へと戻る。
【００３３】
以上の制御を行うことで、外気温度・外気湿度に応じて空調コイルの能力を制御し、加湿量を調整し室内への給気空気中の水分量を概ね一定にできる。したがって、給気空気中の水分量を、別途設置されている空調機などにより室内空気が所定の温度になったときに目標とする相対湿度にすることができ、加湿不足や過加湿を防止できる。
【００３４】
また、室内への給気空気の上限温度を設け、上限温度以下になるようにすることで、別途設置されている室内の空調機が例えば冬季に無駄に冷房運転をしてしまうことを防止できる。
【００３５】
このように、本実施の形態によれば、外気温度・外気湿度に基づいて空調コイルの能力値を決定し、加熱能力を抑えながら加湿を行う。これにより、室内への供給加湿量を確保しつつ、室内へ吹出す給気温度が一定値を超えないように運転を継続させるとともに、換気空調装置と共に室内で運転される空調機が冬季にも関わらず冷房運転してしまうことを防止でき、省エネルギーを実現できる。
【００３６】
また、室外から吸い込まれ室内へ給気される空気と、室内から室外へ排気される空気とを全熱交換器にて全熱交換しながら空調コイル及び加湿器の運転を行うため、換気空調装置で供給した熱及び水分を室外へ逃がすことなく室内に留めることができ、空調コイル及び加湿器の負荷を軽減できる。
【００３７】
実施の形態２．
図５は、本発明にかかる換気空調装置の実施の形態２の構成を示す上面透視図である。本実施の形態においては、室内側からの排気吸込口１０と全熱交換器４との間に室内湿度を測定するための室内湿度センサ１６を備える点で実施の形態１と相違する。
【００３８】
本実施の形態にかかる換気空調装置は、実施の形態１と同様の動作に加え、室内湿度センサ１６による室内の湿度によって空調コイル５及び加湿器６の強制停止及び解除を行う。
【００３９】
図６は、空調コイル５及び加湿器６の強制停止及び解除の制御の流れを示すフローチャートである。換気空調装置は暖房モードでの運転が開始されると、図４に示したフローチャートのステップＳ２〜Ｓ８の処理と並行して図６の制御を行う。例えば、図４のステップＳ２〜Ｓ８の各ステップ間に図６の制御を行う。
【００４０】
ステップＳ９において、制御部１４は、空調コイル５及び加湿器６が強制停止されているか否かを判断し、強制停止されていなければ（ステップＳ９／Ｎｏ）ステップＳ１０へ進み、強制停止されていれば（ステップＳ９／Ｙｅｓ）ステップＳ１２へ進む。ステップＳ１０では、制御部１４は、室内湿度センサ１６で測定された室内湿度Ｒと予め設定されている設定湿度ＲＡ（第１の閾値、例えば４５％）とを比較する。室内湿度Ｒが設定湿度ＲＡよりも高い場合は（ステップＳ１０／Ｙｅｓ）ステップＳ１１へ進み、室内湿度Ｒが設定湿度ＲＡ以下の場合は（ステップＳ１０／Ｎｏ）処理を終了する。ステップＳ１１では、制御部１４は室内への加湿供給が十分であると判断し、加湿器６の運転を強制停止させる。その際、制御部１４は、空調コイル５も強制停止させてサーモＯＦＦさせる。ステップＳ１２では、制御部１４は、室内湿度センサ１６で測定された室内湿度Ｒと予め設定されている設定湿度ＲＢ（第２の閾値、例えば３５％）とを比較する。室内湿度Ｒが設定湿度ＲＢよりも低い場合は（ステップＳ１２／Ｙｅｓ）ステップＳ１３へ進み、室内湿度Ｒが設定湿度ＲＢ以上の場合は（ステップＳ１２／Ｎｏ）処理を終了する。ステップＳ１３では、室温が低く加湿が要求される状態であるため、空調コイル５及び加湿器６の強制停止を解除し、加湿器６の運転とともに、加湿し加湿量を確保するために空調コイル５も同時に運転する。
【００４１】
制御部１４は、図６の制御を図４の制御に優先して行う。例えば、外気温度センサ１１及び外気湿度センサ１２の測定結果がマップ上で領域（１）、（３）〜（５）のいずれかに該当するとしても、室内湿度センサ１６で測定した室内湿度Ｒが設定湿度ＲＡを超える場合は、空調コイル５をＯＦＦとした運転を行う。逆に、室内湿度センサ１６で測定した室内湿度Ｒが設定湿度ＲＢ未満の場合は、外気温度センサ１１及び外気湿度センサ１２の測定結果によるマップ上の領域に則り、空調コイル５をサーモＯＮとした運転を行う。
【００４２】
以上の制御を行うことで、実施の形態１と同様の効果が得られるとともに、例えば室内に別途加湿器が設けられて加湿されるなどして室内空気が過加湿になった場合に換気空調装置での給気空気への加湿を停止することができ、室内湿度を適切に制御できる。また、加湿器停止時に空調コイルも停止させることで給気空気の無駄な加熱を抑え、室内温度の過昇を防ぐことができる。また、換気空調装置の中に全熱交換器を搭載することで、加湿器や空調コイルの停止時も外気と室内空気とで熱交換させて室外に空気が吹出されるため、生外気による冷風から生じる不快感を発生させずに換気が可能となる。
【００４３】
なお、外気温度と室内温度とから全熱交換器４通過後の温度ｔ３を算出し、室内湿度がＲＡに達し空調コイル５及び加湿器６が停止する条件時、熱交換されて室内へ吹出す給気温度（即ち全熱交換器４を通過した室外空気の温度）が低い場合（例えばｔ３＝１０℃）は空調コイル５を強制停止させる代わりに能力を所定のレベル（例えば２５％）に低下させることで室内へ吹出す給気空気の温度の低下を防止しても良い。
【００４４】
ここでは室内湿度センサ１６は、室内側からの排気吸込口１０と全熱交換器４との間に設置されたが、実際に使用する室内空間に設置しても良い。
【００４５】
また、換気空調装置から吹出される給気空気を室内に別途設置した空調機に直接吸い込ませる場合、冬季暖房期に給気空気の温度が高いと、室内の空調機がサーモＯＦＦしたり、自動的に冷房運転に切り替わって換気空調装置で加湿した空気を除湿してしまう恐れがあるが、空調コイル５を停止させることで給気空気の温度が低いままとなるため、空調機は暖房運転を安定して継続できる。
【産業上の利用可能性】
【００４６】
以上のように、本発明にかかる換気空調装置は、空調コイルによる加熱が不要な場合に積極的に空調コイルの能力をセーブして省エネルギーで加湿運転を行える点で有用であり、特に、室内に別途空調機や加湿器を設置して空調システムを構成するのに適している。
【符号の説明】
【００４７】
１  本体ケーシング
２  排気用送風機
３  給気用送風機
４  全熱交換器
５  空調コイル
６  加湿器
７  排気吹出口
８  給気吹出口
９  給気吸込口
１０  排気吸込口
１１  外気温度センサ
１２  外気湿度センサ
１４  制御部
１５  リモコン
１６  室内湿度センサ
【図１】
2012077201.tif 000003
【図２】
2012077201.tif 000004
【図３】
2012077201.tif 000005
【図４】
2012077201.tif 000006
【図５】
2012077201.tif 000007
【図６】
2012077201.tif 000008
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
室外空気を吸い込んで給気空気として室内に給気する給気風路と、室内空気を吸い込んで室外へ排気する排気風路とを備えたケーシングと、
前記給気風路と前記排気風路との間に配設されて前記ケーシングに収容され、前記給気風路に吸い込まれた前記室外空気と前記排気風路に吸い込まれた前記室内空気との間で全熱交換を行う全熱交換器と、
前記室外空気の温度を測定する温度センサと、
前記室外空気の湿度を測定する湿度センサと、
前記給気空気を加熱する空調コイルと、
前記空調コイルによって加熱された前記給気空気を加湿する加湿器と、
前記温度センサ及び前記湿度センサの測定結果に基づいて、前記加湿器による加湿後の前記給気空気の温度及び絶対湿度が予め定められた目標温度及び目標湿度となるように、前記室外空気の温度及び湿度の各々が高いほど低い能力値で前記空調コイルを駆動する制御手段とを有することを特徴とする換気空調装置。
【請求項２】
前記室外空気の温度と湿度との座標系上で、前記加湿器による加熱後の給気空気の温度及び湿度が前記目標温度及び前記目標湿度となる前記室外空気の温度及び湿度との関係を示す温度−湿度関係を、前記空調コイルの能力値ごとに求め、
前記室外空気の温度と湿度との座標系上で前記温度−湿度関係を境界として区切られる複数の領域に、前記空調コイルの各能力値を割り当てることで、前記室外空気の温度及び湿度の組み合わせと前記空調コイルの能力値とを関連付け、
前記制御手段は、前記関連付けに基づいて前記空調コイルを駆動することを特徴とする請求項１記載の換気空調装置。
【請求項３】
前記温度−湿度関係線は、低温部、中温部及び高温部を有し、
前記低温部では前記室外空気の温度によらず、該室外空気の湿度が一定であり、
前記中温部では前記室外空気の温度が高いほど、該室外空気の湿度が低く、
前記高温部では前記室外空気の温度によらず、該室外空気の湿度が一定であることを特徴とする請求項２に記載の換気空調装置。
【請求項４】
前記室外空気の温度及び湿度の組み合わせと、前記空調コイルの能力値とが関連付けられた参照データを格納する手段を有し、
前記制御手段は、前記温度センサ及び前記湿度センサの測定結果に対応する前記空調コイルの能力値を前記参照データに基づいて取得し、該取得した前記空調コイルの能力値に応じた能力で前記空調コイルを駆動することを特徴とする請求項１から３のいずれか１項記載の換気空調装置。
【請求項５】
前記参照データは、
前記室外空気の温度が、前記加湿器による加湿後の前記給気空気の温度が予め設定された上限温度を超えないように定められた第１の温度未満の場合には、前記室外空気の湿度に関わらず前記空調コイルの能力値として１００％が関連付けられ、
前記室外空気の温度が、前記加湿器による加湿後の前記給気空気の温度が前記全熱交換器による全熱交換だけで前記目標温度となる温度として、前記第１の温度よりも高温に定められた第２の温度以上の場合には、前記室外空気の湿度に関わらず前記空調コイルの能力値として０％が関連付けられ、
前記室外空気の温度が、前記第１の温度以上前記第２の温度未満の場合には、０〜１００％の間で予め段階的に設定されている複数の前記空調コイルの能力値のいずれかが、前記室外空気の湿度が高いほど値が低い能力値と対応するように関連付けられていることを特徴とする請求項４記載の換気空調装置。
【請求項６】
前記室内空気の湿度を測定する室内湿度センサを有し、
前記制御手段は、前記室内湿度センサの測定値が予め定められた第１の閾値を超えた場合には、前記空調コイルを強制停止させ、前記室内湿度センサの測定値が前記第１の閾値よりも小さい第２の閾値を下回った場合は、前記空調コイルの強制停止を解除することを特徴とする請求項３から５のいずれか１項記載の換気空調装置。
【請求項７】
前記室内空気の湿度を測定する室内湿度センサを有し、
前記制御手段は、前記室内湿度センサの測定値が予め定められた第１の閾値を超えた場合には、前記空調コイルの能力値を低下させ、前記室内湿度センサの測定値が前記第１の閾値よりも小さい第２の閾値を下回った場合は、前記空調コイルの能力値の低下を解除することを特徴とする請求項３から５のいずれか１項記載の換気空調装置。
【請求項８】
前記制御手段は、前記室内湿度センサの測定値が前記第１の閾値を超えた場合には、前記加湿器を強制停止させ、前記室内湿度センサの測定値が前記第２の閾値を下回った場合は、前記加湿器の強制停止を解除することを特徴とする請求項６又は７記載の換気空調装置。
【国際調査報告】
2012077201.tif 000009
2012077201.tif 000010
2012077201.tif 000011
2012077201.tif 000012
2012077201.tif 000013
2012077201.tif 000014